(57)【要約】【課題】ピボット型ヒンジによる扉を使用する開閉装置に於いて、扉の前後の空間で温度や湿度等の使用条件が異なる場合に、扉の全面もしくは一部分に反りが発生して、開閉操作の円滑性を損なうことを防止する。【解決手段】ピボット型ヒンジを扉に付けた開閉装置１に於いて、少なくとも一組からなる雄器具１１と雌器具２１の何れか一方を開閉装置の枠２と扉５の合せ目に夫々取付け、開閉装置を閉状態に保持したとき前記雄器具と雌器具が嵌合して枠と扉を固定することにより、扉が隔てる空間の環境条件の差で扉表裏に膨張もしくは収縮が起きても扉が変形することがないように強制的に防止し、開閉操作に支障を来たさぬようにする扉の反り防止器具を使用した。【選択図】図２
2008038346.tif 000002
【特許請求の範囲】
【請求項１】
ピボット型ヒンジを扉に付けた開閉装置（１）に於いて、少なくとも一組からなる雄器具（１１）と雌器具（２１）の何れか一方を開閉装置の枠（２）と扉（５）の合せ目に夫々取付け、開閉装置を閉状態に保持したとき前記雄器具と雌器具が嵌合して枠と扉を固定することにより、扉が隔てる空間の環境条件の差で扉表裏に膨張もしくは収縮が起きても扉が変形することがないように強制的に防止し、開閉操作に支障を来たさぬようにする扉の反り防止器具。
【請求項２】
雌器具（２１）が雌器具本体（２２）と抑えフランジ（３１）からなる請求項１に記載の扉の反り防止器具。
【請求項３】
雌器具本体（２２）と抑えフランジ（３１）の合せ面双方に連続する凹凸からなる滑り止め（２８．３５）を付けた請求項２に記載の扉の反り防止器具。
【請求項４】
雌器具本体（２２）のフランジ（２３）面に長孔（２５）を設けた請求項１から３の何れかに記載の扉の反り防止器具。
【請求項５】
請求項１に記載した扉の反り防止器具を使用した開閉装置。
【発明の詳細な説明】
【技術分野】
【０００１】
本発明は、建物の開口部に取付けて使用する扉の反り防止に関する。
【背景技術】
【０００２】
人が出入りする開口部に設置する開閉装置の構成部材である建具に扉を使用した場合、開口部周囲の枠と扉の間をヒンジで連結して扉を回動自在に保持する。該ヒンジは枠と扉の連結に使用する平板と軸の位置関係から二種類に大別することができ、一つは羽根板面と軸を平行に連結して二枚の羽根板が軸の周囲に蝶のように開閉する型と、他の一つは本出願人による特許文献１に示す支持板面と軸が直角に交差連結して二枚の支持板が平行を保ち軸の周囲に回転運動するピボットと呼ぶ型がある。
【０００３】
蝶型は、枠と扉の左右何れか縦の合せ目を利用して、通常、金属製扉は２個、木製扉では２〜３個使用する。ピボット型は、枠と扉の上下の合せ目を利用し、金属製か木製かを問わず２個使用する。何れも回転中心の軸部を前記合せ目から離れた位置において使用するが、使用する蝶型のヒンジ全てが荷重を支持する能力を持つのに対して、ピボット型のヒンジは下側が荷重を支え上側が回転の案内役を務める。
【特許文献１】特開２００７−１３８１７０号公報
【発明の開示】
【発明が解決しようとする課題】
【０００４】
正常な環境下で使用する金属製や木製の扉に変形という事態は起き難いが、扉の前後の空間の温度や湿度等の環境条件に差があると図７のように扉５に反りαが生ずる可能性が生まれる。金属製扉では主に温度が影響し、木製扉では構造と使用材の乾燥等の前処理状態も加わり温度の他に湿度等の影響も受け、何れの場合も全面か一部分に反りが発生することがある。この様な場合、反りの程度によっては扉の枠に対する納まりが難しくなり、気密性や開閉操作の円滑性が低下する他、開閉の都度軋み音もでて施錠も難しくなる。
【０００５】
扉は複数個のヒンジを使用する。ヒンジが蝶型かピボット型かで荷重の支持構造が違うことを前の段落で説明したが、該支持構造は扉の反りにも密接に関連する。蝶型では構成する二枚の羽根板の長辺同士を長い軸で回動自在に連結するので、羽根板で枠と扉を接続すると扉に反りを起こさせない強い構造が得られるが、ピボット型は二枚の支持板同士の厚み方向を軸で回動自在に連結するだけなので、用法的にはピン継ぎ手と考えられ蝶型に比べて扉の反りに弱いという構造上の問題を抱える。
【０００６】
扉の内外環境が大きく異なると枠と扉の間の拘束力が不十分な場合に反りが出やすい。該状態を、使用中の開閉装置に当て嵌めると拘束力が及ぶ範囲はヒンジの接続部周辺に止まり、他の部分は拘束力が及び難く反りが発生しやすい区域になる。反りが発生は既述の問題を起こすので、拘束力の及ぶ範囲を拡大して反りを防止することが必要になる。蝶型では個数を増やせばよいがピボット型は対応が難しい。本願はピボット型の対応策について研究し最適の器具を開発した。
【課題を解決するための手段】
【０００７】
本発明は、ピボット型ヒンジを扉に付けた開閉装置に於いて、少なくとも一組からなる雄器具と雌器具の何れか一方を開閉装置の枠と扉の合せ目に夫々取付け、開閉装置を閉状態に保持したとき前記雄器具と雌器具が嵌合して枠と扉を固定することにより、扉が隔てる空間の環境条件の差で扉表裏に膨張もしくは収縮が起きても扉が変形することがないように強制的に防止し、開閉操作に支障を来たさぬようにする扉の反り防止器具である。
【発明の効果】
【０００８】
本発明の扉の反り防止器具は、ピボット型ヒンジを使用する扉が使用環境の影響を受け変形する事態を防止したので、気密性の低下や円滑性の低下並びに音の発生等の開閉操作に伴う支障を来たし難くなった。
【発明を実施するための最良の形態】
【０００９】
本発明は、ピボット型ヒンジと扉を使用する開閉装置に於いて、扉の前後の空間の温度や湿度等の使用条件が異なると、扉の全面もしくは一部分に反りが発生して、開閉操作の円滑性を損なう既述の問題を起こすので、上下ヒンジの間に相当する枠と扉の縦方向の合せ目の任意の場所に、少なくとも１組の雌雄からなる反り防止器具を取付けて、反りの発生を防止する手立てを講ずることが望ましい。
【００１０】
ピボット型ヒンジは蝶型の羽根板に相当する支持板の一方を扉の上下各辺を利用して取付け、他方の支持板は上下枠か縦枠の内面を利用して取付け、支持板の回転部保持面を上下枠から張出した状態で取付ける。下側ヒンジの場合は枠側の支持板の床面に埋め込み回転部保持面が床面から露出するように配置することが多い。扉を反りから保護するための防止器具は枠と扉の縦の合せ目に格納して、扉を閉じると見えないように取付けると目立たない。
【００１１】
反り防止器具の雄器具は扉が開く度に雄器具先端が突出するので、開閉操作時の安全面から、枠側に雄器具を付けて突出部を戸当たりで一部保護し、扉側に雌器具を使用するのが望ましい。該器具の位置は安全性が確保できるなら逆に取付けても差支えない。雌雄器具の嵌合面は開閉の都度接触離脱を繰り返すので、扉の反りの増減による位置ずれを柔軟に吸収する必要があるので、双方を金属とするよりも雄側を金属で雌側を耐久性と弾力性に富む合成樹脂とする組合せがよい。
【実施例】
【００１２】
図１はピボット型ヒンジを使用した開閉装置の正面図である。図２は図１の閉状態から扉を開状態とした時の反り防止器具の配置を示す斜視図である。図３は反り防止の雄器具の斜視図である。図４（Ａ．Ｂ．Ｃ．Ｄ．Ｅ）は反り防止の雌器具本体の平面図と滑り止め付きの斜視図二態と図４（Ａ）のａ−ａ′線に沿う断面図と同ｂ−ｂ′線に沿う断面図及び斜視図である。図５（Ａ．Ｂ）は雌器具本体の抑えフランジと同滑り止め付きの斜視図である。図６（Ａ．Ｂ．Ｃ）は図１のｃ−ｃ′線に沿う反り防止器具の扉の閉時と中間と開時の三状態の断面図である。
【００１３】
図１．２のように、開閉装置１の枠２と扉５の上下にピボット型ヒンジ７．８を使用し、上下両ヒンジの略中間の戸あたり４付き枠と扉の縦の合せ目６に反り防止器具を一組格納している。図３の雄器具１１は金属板を曲げ加工した成形品で突出部１２の先端１３を丸めて雌器具２１と嵌合しやすくしてある。雄器具に雌器具を嵌合する際、衝撃を受けるためフランジ１４を枠に確りと取付け孔１５からビス１６（図６参照）で止め固定する。
【００１４】
図４（Ａ）は、合成樹脂製の雌器具本体２２で扉５に開けた穴３（図６参照）に挿入し固定する際に、雌器具本体を仮止めして雄器具１１の受入れ状態に合せてフランジ２３面の長孔２５を利用して雌器具本体をスライドさせて最適の位置を確保する。図４（Ｂ）は、フランジ表面に凹凸の滑り止め２８を付けた雌器具本体である。図４（Ｃ）は、本体に雄器具の突出部１２と嵌合するため両側を緩斜面とした窪み２５を示した。図４（Ｄ）は、後述の抑えフランジに切り込んだ孔３２で雌器具本体の前後方向の動きを制限するフランジ面から突出する鍔２６を示した。図４（Ｅ）は雌器具本体の斜視図である。図５（Ａ）は、雌器具本体の抑えフランジ３１で位置決めを終えた雌器具本体に被せて孔３３にビス３４を通して固定する。また、図５（Ｂ）のようにフランジの裏面に既述の雌器具本体の滑り止めと同じ形の滑り止め３５を付けて組合せてもよい。
【００１５】
図６（Ａ．Ｂ．Ｃ）は、反り防止器具の扉開閉操作時の動きを示した。図６（Ａ）は開閉装置が閉状態の時で、Ｃ点はピボットヒンジの回転中心で、扉５の幅広の穴３に挿入した雌器具２１の雌器具本体２２は抑えフランジ３１でビス３４止めされるが、雌器具本体は前記幅広の穴の余裕分に相当する距離を長孔２５に沿い動かすことができるので、該余裕分を扉の反りによる雄器具１１の位置ずれの解消に引当てることができる。図６（Ｂ）は閉状態が解け雌器具本体から雄器具が離脱した状態を示した。図６（Ｃ）は雌器具本体から雄器具が完全に離れた状態を示し、Ｌ−Ｌ′値は長孔２４による移動相当の調整代である。
【図面の簡単な説明】
【００１６】
【図１】ピボット型ヒンジを使用した開閉装置の正面図である。（実施例）
【図２】図１の閉状態から扉を開状態とした時の反り防止器具の配置を示す斜視図である。
【図３】反り防止の雄器具の斜視図である。
【図４】（Ａ．Ｂ．C．Ｄ．Ｅ）は反り防止の雌器具本体の平面図と滑り止め付きの斜視図二態と図５（Ａ）のａ−ａ′線に沿う断面図と同ｂ−ｂ′線に沿う断面図及び斜視図である。
【図５】（Ａ．Ｂ）は雌器具本体の抑えフランジと同滑り止め付きの斜視図である。
【図６】（Ａ．Ｂ．Ｃ）は図１のｃ−ｃ′線に沿う反り防止器具の扉の閉時と中間と開時の三状態の断面図である。
【図７】反りの出た扉である
【符号の説明】
【００１７】
１      開閉装置
２      枠
３      穴
４      戸あたり
５      扉
６      合せ目
７．８  上下ピボット型ヒンジ
１１    雄器具
１２    突出部
１３    先端
１４．１８．２３  フランジ
２１    雌器具
２２    雌器具本体
２３    フランジ
２５    長孔
２５    窪み
２７    鍔
２８．３５  滑り止め
３１    抑えフランジ
３２    孔
【図１】
2008038346.tif 000003
【図２】
2008038346.tif 000004
【図３】
2008038346.tif 000005
【図４】
2008038346.tif 000006
【図５】
2008038346.tif 000007
【図６】
2008038346.tif 000008
【図７】
2008038346.tif 000009